(57)【要約】【課題】マイクロ波加熱モードにおいても庫外へ取り出すことをしなくてよい、かつ庫内いっぱいに広がる面積の広い被加熱物でも加熱でき、しかもマイクロ波加熱又はヒータ加熱のいずれかでも積極的に使用できるようにするコスト安の頑丈な焼き網を提供する。【解決手段】マイクロ波兼ヒータ加熱装置の加熱室床面全体に亘って載置される矩形状金属製焼き網であって、該焼き網が少なくともスリットを備えかつ矩形の四隅に絶縁性脚部を備えており、脚部の上端に被加熱物固定用のストッパが設けられ、スリットがマイクロ波の１／４波長以上の長さで、しかもマイクロ波の給電口の長手方向に平行に形成されている。【選択図】  図１
2004239501.tif 000002
【特許請求の範囲】
【請求項１】
マイクロ波兼ヒータ加熱装置の加熱室床面全体に亘って載置される金属製焼き網であって、該焼き網の脚部が絶縁性材料からなることを特徴とするマイクロ波兼ヒータ加熱装置用焼き網。
【請求項２】
前記脚部の上端に被加熱物又は被加熱物を載置する載置皿の位置決めをするためのストッパを設けたことを特徴とする請求項１記載のマイクロ波兼ヒータ加熱装置用焼き網。
【請求項３】
前記金属製焼き網の上面の一部又は周囲に段差を設けたことを特徴とする請求項１又は２記載のマイクロ波兼ヒータ加熱装置用焼き網。
【請求項４】
前記金属製焼き網はマイクロ波の１／４波長以上の長孔を備えたことを特徴とする請求項１〜３のいずれか１項記載のマイクロ波兼ヒータ加熱装置用焼き網。
【請求項５】
前記金属製焼き網はマイクロ波の１／４波長以上のスリットを備えたことを特徴とする請求項１〜４のいずれか１項記載のマイクロ波兼ヒータ加熱装置用焼き網。
【請求項６】
前記長孔又はスリットの長さ方向の向きが使用状態でマイクロ波兼ヒータ加熱装置のマイクロ波の給電口の長手方向と平行に形成されたことを特徴とする請求項４又は５記載のマイクロ波兼ヒータ加熱装置用焼き網。
【発明の詳細な説明】
【０００１】
【発明の属する技術分野】
本発明は、マイクロ波加熱とヒータ加熱とを兼用して被加熱物を加熱するマイクロ波兼ヒータ加熱装置に関し、特にその中に載置される焼き網に関する。
【０００２】
【従来の技術】
従来よりトースターやオーブン加熱においては、焼き網が用いられていた。
その機能は被加熱物が焦げないように庫内床面より浮かせる役目をするためであり、その構造はコスト安の観点から針金を曲折して成るものであり、それほど重量のある物を載せない（パンなど）場合は通常図１０（ａ）の焼き網９１のような平行形状のものとし、やや重量物を載せる場合は図１０（ｂ）の焼き網９２のような網目形状のものとしていた。
【０００３】
一方、電子レンジにトースターやオーブン機能を加味したいわゆるマイクロ波兼ヒータ加熱装置においては、トースターやオーブン加熱モードにおいては上記の理由から同じような焼き網を使用していた。ただし、マイクロ波加熱モードにおいては、この焼き網は庫内に残しておかずに庫内から取り出していた。その理由は、焼き網９２はヒータ加熱時の床面からの熱伝導を良くするため針金で脚部を構成していたのであり、マイクロ波加熱モードにおいては放電を生じ、危険で使用不可能だからである。
【０００４】
また、ターンテーブル方式のマイクロ波兼ヒータ加熱装置にあっては、ターンテーブルを兼用した焼き網を一体にしたものがあり、この場合トースターやオーブン加熱においては上記理由から焼き網を使用しているが、マイクロ波加熱モードでも庫外へ取り出すことをしないでいた。なぜなら、焼き網一体型のターンテーブルはセラミックの回転軸上に保持されており、床面とは絶縁されているため電界放電しないからである。（例えば、特許文献１および２参照）。
【０００５】
【特許文献１】
特開平９−１４５０６４号公報
【特許文献２】
特開平８−１３８８６４号公報
【０００６】
【発明が解決しようとする課題】
マイクロ波兼ヒータ加熱装置においては、被調理物を入れた丼や陶器鍋ごと庫内で加熱することも想定しているため、図１０（ａ）の焼き網９１のような平行形状のものでは撓んでしまい使えなかった。したがって、図１０（ｂ）の焼き網９２のような針金を網目形状にした頑丈なものを使用していた。
しかしながら、焼き網９２はトースターやオーブン加熱モードでのみ使用されるもので、マイクロ波加熱モードでは上記の理由から使用されなかった。したがって電子レンジ使用時には、焼き網はその都度庫外へ取り出していた。
【０００７】
したがって、マイクロ波加熱モードにおいてはこれらの焼き網を庫外へ置くスペースが必要となる他、ヒータ加熱直後の取り出し時には過熱状態にあり火傷する恐れがあり、また、過熱状態の網であるため更に広くて安全なスペースが必要となり、それ以上に紛失してしまう恐れがあり、取り扱いがとても面倒であった。
【０００８】
一方、ターンテーブル方式のマイクロ波兼ヒータ加熱装置にあっては、いちいち取り出すことをしないので、紛失してしまう恐れはないが、焼き網一体型ターンテーブルの庫内での敷設面積が、庫内でターンテーブルが回転できる範囲内の大きさに限られるため、ターンテーブルからはみ出るような面積の広い被加熱物の加熱調理はできなかった。
また、焼き網一体型ターンテーブルは、マイクロ波加熱モードでは取り出さなくてよいといった程度のものであって、これを積極的に使用するというものではなく、したがってその網目も図１０（ｂ）の焼き網９２のような針金を網目形状にしたものあるいは針金使用ではないもののこれに類似のもの（すなわち、図１０（ａ）のような後述のマイクロ波の１／４波長以上の長さの網目を有するもの、ではないもの）を使用していた。
【０００９】
また、焼き網全体をセラミックで構成することも考えられるが、これはコスト高となり、また落とした場合など衝撃に弱く割れやすいという大きな欠点があった。そもそもトースターやオーブン加熱モードに使用する焼き網をマイクロ波加熱モード時に積極的に庫内に残しておこうという発想がなかった。
【００１０】
本発明はこれらの欠点をすべて解決するためのもので、マイクロ波加熱モードにおいても庫外へ取り出すことをしなくてよい、かつ庫内いっぱいに広がる面積の広い被加熱物でも加熱でき、しかもマイクロ波加熱又はヒータを用いてトースターやオーブン加熱のいずれかでも積極的に使用できるようにするコスト安の頑丈な焼き網を提供することを目的としている。
【００１１】
【課題を解決するための手段】
上記の目的を達成するため、請求項１記載のマイクロ波兼ヒータ加熱装置用焼き網の発明は、マイクロ波兼ヒータ加熱装置の加熱室床面全体に亘って載置される金属製焼き網であって、該焼き網の脚部が絶縁性材料からなることを特徴とする。
以上のように構成することにより、金属製であるので頑丈で衝撃にも割れず、また、絶縁性脚部を備えているので庫内放電を生じなくなる。さらに、床面全体に亘って載置される大きな焼き網であるので面積の広い被加熱物でも加熱できることとなる。
【００１２】
請求項２記載の発明は、請求項１記載のマイクロ波兼ヒータ加熱装置用焼き網において、前記脚部の上端に被加熱物又は被加熱物を載置する載置皿の位置決めをするためのストッパを設けたことを特徴とする。
以上のように構成することにより、ストッパの働きで被加熱物が確実に固定される共に、被加熱物の加熱状態が適切な範囲になる位置を簡単に定めることができる。
【００１３】
請求項３記載の発明は、請求項１又は２記載のマイクロ波兼ヒータ加熱装置用焼き網において、前記金属製焼き網の上面の一部又は周囲に段差を設けたことを特徴とする。
以上のように構成することにより、段差の働きで被加熱物が金属製焼き網の上に確実に固定される共に、被加熱物の加熱状態が適切な範囲になる位置を簡単に定めることができる。
【００１４】
請求項４記載の発明は、請求項１〜３のいずれか１項記載のマイクロ波兼ヒータ加熱装置用焼き網において、前記金属製焼き網はマイクロ波の１／４波長以上の長孔を備えたことを特徴とする。
以上のように構成することにより、給電口から出てくるマイクロ波が長孔の中を通過して金属製焼き網の裏側にも回ることができるので、庫内の電波均一化が可能となる。
【００１５】
請求項５記載の発明は、請求項１〜４のいずれか１項記載のマイクロ波兼ヒータ加熱装置用焼き網において、前記金属製焼き網はマイクロ波の１／４波長以上のスリットを備えたことを特徴とする。
以上のように構成することにより、給電口から出てくるマイクロ波がスリットの中を通過し易くなり、スリットを容易に通過したマイクロ波は金属製焼き網の裏側にも回ることができるので、庫内の電波均一化がさらに進展することとなる。
また、焼き網の備えたスリットの電波均一化作用と被加熱物の加熱が進むにつれて物性値が刻々変化してゆくことと相まって、ターンテーブルの持つ撹拌作用ほど強力ではないにしても、焼き網を庫内に残しておく方が庫内から除去するよりもより均一加熱に寄与することが判明した。
【００１６】
請求項６記載の発明は、請求項４又は５記載のマイクロ波兼ヒータ加熱装置用焼き網において、前記長孔又はスリットの長さ方向の向きが使用状態でマイクロ波兼ヒータ加熱装置のマイクロ波の給電口の長手方向と平行に形成されたことを特徴とする。
以上のように構成することにより、給電口から出てくるマイクロ波が効率よく金属製焼き網の裏側にも回ることができるので、庫内の電波均一化が一層進展することとなる。
【００１７】
【発明の実施の形態】
以下、マイクロ波兼ヒータ加熱装置に好適に用いられる本発明に係る焼き網の実施の形態について図面を参照して詳細に説明する。
図１は本発明に係るマイクロ波兼ヒータ加熱装置に載置される焼き網の外観斜視図で、（ａ）は焼き網全体の斜視図、（ｂ）は脚部の拡大斜視図である。
図において、１０は焼き網、１２は網部、１４は脚部である。網部１２は周囲に亘って段差のある額縁部１２１と額縁部１２１に囲まれた低い網構成部１２２とから構成され、網構成部１２２には、輻射熱を通過させる丸孔１２ａと輻射熱を通過させる長孔１２ｂが開けられている。長孔１２ｂはまた後述のマイクロ波（波長λ）の１／４λ以上の長さの孔となっているのが特徴である。
網構成部１２２の材質は、例えばアルミ亜鉛合金メッキ処理鋼板が用いられる。
【００１８】
図１（ｂ）の脚部は、加熱室床面から浮かせて電気的に絶縁するためのもので、絶縁性材質でできており、焼き網の４隅に設けられている。脚部の成形は、例えば碍子を成形する場合と同様に行えばよい。１例を挙げれば、成形型に投入する粉体としては陶石、長石、粘土を調合微粉砕し、脱鉄したスラリーに結合剤および潤滑剤を所定量加えたスラリーをスプレードライヤーで造粒し、得られた顆粒粉体を成形型に投入すればよい。結合剤としてはポリビニルアルコールが好ましく、潤滑剤としてはモンタン酸又はステアリン酸が好ましい。
【００１９】
図２は脚部１４の断面を示す図で、脚部１４は焼き網１２を加熱室床面から浮かせて電気的に絶縁する脚部本体１４１と焼き網１２の上に載置される被加熱物Ｂ（図ａ）の位置決め、又は被加熱物Ｂを載置する載置皿Ｔ（図ｂ）の位置決めをするためのストッパ１４２を備えている。
また、ストッパは図１（ｂ）に示すように、１４２と１４３の２段構成としてもよい。
一方、焼き網１２は図２において平面状に形成されているが、図３に示すように焼き網の上面の一部又は周囲に段差Ｄを設けて、額縁部１２１と額縁部１２１に囲まれた網構成部１２２とから構成するとよい。
【００２０】
本発明による焼き網は針金やセラミックではなくて無垢の金属鋼板であるので頑丈で衝撃にも割れず、また矩形の四隅に絶縁性脚部を備えているので庫内放電を生じなくなり、さらに長孔を備えているからマイクロ波が金属製焼き網の裏側にも回ることができるので庫内の電波均一化が可能となり、そして矩形状をした大きな焼き網であるので面積の広い被加熱物でも加熱できることとなる。
【００２１】
また、ターンテーブルの持つ撹拌作用も、焼き網の備えた長孔の電波均一化作用と被加熱物の加熱が進むにつれて物性値が刻々変化してゆくことと相まって、ターンテーブルの持つ撹拌作用ほどではないが、許容される程度の均一加熱が行われることができることが判明したので、マイクロ波加熱モードにおいても、庫外へ取り出す必要がなく、紛失や火傷、スペースの問題が解決する。
【００２２】
ここで、本出願人の別発明に係る給電口を備えたマイクロ波兼ヒータ加熱装置について簡単に説明する。
図４〜図６は当該マイクロ波兼ヒータ加熱装置の説明図で、図４は正面から見た内部断面図、図５は図４のＡ−Ａ線矢視図、図６は図５のＢ−Ｂ断面図である。このマイクロ波加熱装置５０は、食品等の被加熱物Ｂを収容する加熱室５５と、加熱補助用に加熱室５５の床部に載置される焼き網１０と、オーブン加熱用の直線状の発熱体５６と、マイクロ波を発振するマグネトロン５７と、マグネトロン５７から発振されたマイクロ波を加熱室５５に導く導波管５８と、加熱室５５の壁面に形成されて加熱室５５内へのマイクロ波の放射口となる給電口５９とを備えている。
【００２３】
加熱室５５は、前側が開閉扉５１で開閉可能にされた箱形で、図５及び図６に示すように、その天井壁５５ａの手前側（前方位置）に発熱体５６が、また天井壁５５ａの奥（後方位置）に給電口５９が装備されている。
天井壁５５ａの発熱体５６に対応する位置には、発熱体５６を収容する凹部５２が形成されていて、発熱体５６が加熱室内に突出しないように配慮されている。
マグネトロン５７は、図４及び図５に示すように、マイクロ波を発振するアンテナ５７ａを加熱室５５側に向けて、加熱室５５の右外側面側に配置している。そして、アンテナ５７ａに対向する加熱室５５の右側壁５５ｂに、室内側に膨出した形態でアンテナ５７ａとの干渉を避ける膨出部５３を形成している。
【００２４】
導波管５８は、アンテナ５７ａの周囲から加熱室５５の右外側面に沿って上方に延びる側部導波管５８ｂと、この側部導波管５８ｂの上端から天井壁５５ａの外面に沿って給電口５９まで延びる上部導波管５８ａとを備えたＬ字状に形成されている。側部導波管５８ｂは、加熱室５５の右側壁５５ｂとの協働で、マイクロ波を導く矩形管状の導波路を画成している。また、上部導波管５８ａは、加熱室５５の天井壁５５ａとの協働で、マイクロ波を導く矩形管状の導波路を画成している。
給電口５９は、前後方向に位置をずらして２つの給電口５９ａ，５９ｂから構成され、導波管５８の幅寸法ａの中心である軸線Ｙ１を挟んで、装置前側に給電口５９ａが位置し、装置後側に給電口５９ｂが位置するようになっている。これらの２つの給電口５９ａ，５９ｂの形状は何れも加熱室５５の幅方向（即ち、導波管５８の軸方向）に細長い矩形状となっている。
このような給電口５９ａ，５９ｂの形状と取り付け位置によって、従来の装置では得られなかった加熱室５５内の手前と奥側とにおける均一加熱が確保されるようになった。本発明に係る焼き網１０の長孔（図１の１２ｂ）もその長さ方向の向きが使用状態で給電口の長手方向と平行になるので、給電口５９ａ，５９ｂから出たマイクロ波は焼き網１０の長孔から焼き網の裏側にも回り、最終的に庫内の隅々までマイクロ波が行き渡ることとなる。
【００２５】
また、図６に示したように、天井壁５５ａを前後に２等分する線Ｘ１に対して、発熱体５６までの離間距離をｐ、導波管５８の中心軸線Ｙ１までの離間距離をｑとするとき、ｐ＜ｑの関係に設定し、ｐをできる限り零にするのが望ましい。このようなマイクロ波兼ヒータ加熱装置５０は、発熱体５６を装備していて、オーブンレンジ（オーブントースタ）としても使用できるため、より広範な調理用途に利用できる。
【００２６】
図７は本発明に係る４種の焼き網の網部の平面図を示すもので、それぞれマイクロ波兼ヒータ加熱装置の加熱室に配置された状態（図の上が加熱室の奥、下が加熱室の手前、紙面の表側にマイクロ波の給電口、紙面の裏側にヒータが設置されている。）を示している。
図７（ａ）において、２０は焼き網、２０ａはマイクロ波の波長λの１／４λ以上の長さを有するスリット、２０ｂは輻射熱を通過させる縦長孔である。１／４λは、ここで使用しているマグネトロンの発振周波数から約３ｃｍとなっている。なお、脚部１４は図示を省略している。
ここで示すスリット２０ａは上記のようにその長さ方向の寸法が約３ｃｍ以上であり、幅方向の寸法が約１５ｍｍ以下となっている。図１で示した長孔１２ｂとは両者とも１／４λ以上の長さを有する開口部を備えている点で共通し、したがってマイクロ波を焼き網の裏側へ通過させる機能を両者とも備えている。
ただし、両者が異なる点は、長孔が長さ方向および幅方向共に寸法が大きくてヒータ加熱時の輻射熱をも通過させることができるのに対して、スリットはもっぱらマイクロ波の通過のためだけのものであり、輻射熱は通過させない違いがある（輻射熱の通過は他の模様の開口が受け持つこととなっている。）。
図７（ｂ）において、２１は焼き網、２１ａ、２１ｂは１／４λ以上の長さの長孔であり、したがって輻射熱を通過させる長孔である。ここでも脚部１４は図示を省略している。
図７（ｃ）において、２２は焼き網、２２ａは１／４λ以上の長さの長孔であり輻射熱を通過させる。ここでも脚部１４は図示を省略している。
図７（ｄ）において、２３は焼き網、２３ａは１／４λ以上の長さの長孔であり、２３ｂは輻射熱を通過させる縦長孔である。ここでも脚部１４は図示を省略している。
【００２７】
以上のように、図７（ａ）〜（ｄ）の各焼き網２０〜２３に共通していることは、ヒータからの輻射熱をなるべく多く焼き網を通過させるために多数の長孔が焼き網に設けられていることと、必ず１／４λ以上の長さのスリットまたは長孔が設けられていることである。
多数の長孔をどのような形状で何個設けるかは、焼き網の上に載置する被加熱物（土鍋、丼、大皿、深皿等）の重さに耐える強度との関係で適宜決定されればよい。
【００２８】
スリットがマイクロ波の給電口の長手方向に平行に形成され、しかも１／４λ以上の長さの長孔が必要とされる理由は、上述したように、本発明で使用するマイクロ波兼ヒータ加熱装置と大いに関係しており、導波管を通って加熱室の天井に到達したマイクロ波が導波管の軸方向に延びた細長い矩形状から加熱室内に出ていくようになっているので、その場合の給電口の長手方向の向きに焼き網の１／４λ以上の長孔を平行にしておくことで、マイクロ波（波長λ）が焼き網の長孔を通過して裏側で行くことができ、結果的に加熱室全体に均一にマイクロ波が行き渡り、均一加熱を可能とするためである。
【００２９】
また、図７（ａ）の焼き網２０において、左右方向の１／４λ以上のスリット２０ａが図で上下に１個ずつ設けられているが、これは点対称にして焼き網の前後を逆にして用いてもよいためであり、前後の向きが特定されているのであれば、１個だけでもよい。もちろん２個あった方がより好ましい。
図７（ｂ）および（ｃ）焼き網２１および２２おいても同様で、左右方向の１／４λ以上の長孔２０ａが図で多数個設けられているが、これは焼き網の前後を逆にして用いてもよいためである。
【００３０】
さらに、図７（ｄ）の焼き網２３においては、左右方向の１／４λ以上の長孔２３ａと上下方向の１／４λ以上の長孔２３ｂと多数設けられているので、この焼き網２３は前後左右どの向きで使用してもよいこととなる。
【００３１】
図８は、逆に、本発明に係る焼き網でない網部の例を平面図で示すもので、それぞれマイクロ波兼ヒータ加熱装置の加熱室に配置された状態（図の上が加熱室の奥、下が加熱室の手前、紙面の表側にマイクロ波の給電口、紙面の裏側にヒータが設置されている。）を示している。
【００３２】
図８（ａ）の焼き網において、３０は焼き網、３０ａは１／４λ以下の長さの長孔、３０ａは１／４λ以上の長さの長孔である。このように焼き網３０は、１／４λ以下の長さの長孔３０ａから１／４λ以上の長さの長孔３０ｂまで多数備えているものの、給電口のスリットの長手方向の向きに対して斜め方向であるので、給電口のスリットから加熱室に入ったマイクロ波が焼き網の長孔３０ａ〜３０ｂのいずれも効率的に通過することができない。
【００３３】
図８（ｂ）の焼き網３１において、焼き網３１も同じで、１／４λ以下の長さの長孔３１ａ、３１ｂから１／４λ以上の長さの長孔まで多数備えているものの、給電口のスリットの長手方向の向きに対して斜め方向であるので、給電口のスリットから加熱室に入ったマイクロ波が焼き網の長孔３１ａ、３１ｂ、・・・のいずれも効率的に通過することができない。
【００３４】
図８（ｃ）の焼き網３２において、３２は焼き網、３２ａは左右に延びる長さの波状孔である（直線状でない）ので、１／４λ以上に相当する長さがどこにも存在していない。したがって、給電口のスリットから加熱室に入ったマイクロ波が焼き網の長孔３２ａを効率的に通過することはできない。
【００３５】
図８（ｄ）の焼き網２２において、焼き網３３は図８（ｂ）の焼き網３１と同じく１／４λ以上の長さの長孔３３ｂを多数備えているものの、給電口のスリットの長手方向の向きに対して斜め方向であるので、給電口のスリットから加熱室に入ったマイクロ波が焼き網の長孔３１ｂを効率的に通過することはできない。
【００３６】
以上のように、図８（ａ）〜（ｄ）の各焼き網３０〜３３に共通していることは、いずれも給電口のスリットの長手方向の向きに対して平行な１／４λ以上の長さの長孔が１個も存在していないことである。
したがって、給電口のスリットから加熱室にマイクロ波が給電されても焼き網の長孔を効率的に通過できることができず、したがって焼き網の下側に行くこともできず、結果的に加熱室全体に均一にマイクロ波が行き渡るようになりにくい
。
【００３７】
図９は、本発明に係る焼き網の別の例を平面図で示すもので、それぞれマイクロ波兼ヒータ加熱装置の加熱室に配置された状態（図の上が加熱室の奥、下が加熱室の手前、紙面の表側にマイクロ波の給電口、紙面の裏側にヒータが設置されている。）を示している。
図９（ａ）の焼き網において、４０は焼き網、４０ａ、４０ｃは１／４λ以下の長さの孔、４０ｂは１／４λ以上の長さの長孔である。このように焼き網４０は、１／４λ以下の長さの長孔４０ｂを備えているので、給電口のスリットの長手方向から加熱室に入ったマイクロ波は焼き網の長孔４０ｂを通って焼き網の下側に行き、結果的に加熱室全体に均一にマイクロ波が行き渡るようになり、均一加熱が可能となる。
図９（ｂ）の焼き網４１は図８（ｄ）の焼き網３３とほぼ同一であるが、異なる点は１／４λ以上の長さのスリット４１ａを上下に１個ずつ備えている点である。
このように焼き網４１は、１／４λ以上の長さのスリット４１ａを備えているので、給電口のスリットから加熱室に入ったマイクロ波は焼き網のスリット４１ａを通って焼き網の下側に行き、結果的に加熱室全体に均一にマイクロ波が行き渡るようになり、均一加熱が可能となる。
【００３８】
【発明の効果】
以上、詳細に説明したように、請求項１記載のマイクロ波兼ヒータ加熱装置用焼き網の発明によれば、マイクロ波兼ヒータ加熱装置の加熱室床面全体に亘って載置される金属製焼き網の脚部を絶縁性材料で構成したので、金属製であるから頑丈で衝撃にも割れず、また絶縁性脚部であるからで庫内放電を生じなくなる。さらに、床面全体に亘って載置される大きな焼き網であるので面積の広い被加熱物でも加熱できることとなる。
【００３９】
請求項２記載の発明によれば、請求項１記載のマイクロ波兼ヒータ加熱装置用焼き網において、前記脚部の上端に被加熱物又は被加熱物を載置する載置皿の位置決めをするためのストッパを設けたので、被加熱物が確実に固定される共に、被加熱物の加熱状態が適切な範囲になる位置を簡単に定めることができる。
【００４０】
請求項３記載の発明によれば、請求項１又は２記載のマイクロ波兼ヒータ加熱装置用焼き網において、前記金属製焼き網の上面の一部又は周囲に段差を設けたので、段差の働きで被加熱物が金属製焼き網の上に確実に固定される共に、被加熱物の加熱状態が適切な範囲になる位置を簡単に定めることができる。
【００４１】
請求項４記載の発明によれば、請求項１〜３のいずれか１項記載のマイクロ波兼ヒータ加熱装置用焼き網において、前記金属製焼き網にマイクロ波の１／４波長以上の長孔を設けたので、給電口から出てくるマイクロ波が長孔の中を通過して金属製焼き網の裏側にも回ることができるため、庫内の電波均一化が可能となる。
【００４２】
請求項５記載の発明によれば、請求項１〜４のいずれか１項記載のマイクロ波兼ヒータ加熱装置用焼き網において、前記金属製焼き網にマイクロ波の１／４波長以上のスリットを設けたので、給電口から出てくるマイクロ波がスリットの中を通過し易くなり、スリットを容易に通過したマイクロ波は金属製焼き網の裏側にも回ることができるため、庫内の電波均一化がさらに進展することとなる。
また、焼き網の備えたスリットの電波均一化作用と被加熱物の加熱が進むにつれて物性値が刻々変化してゆくことと相まってより均一加熱に寄与することができる。
【００４３】
請求項６記載の発明によれば、請求項４又は５記載のマイクロ波兼ヒータ加熱装置用焼き網において、前記長孔又はスリットの長さ方向の向きが使用状態でマイクロ波兼ヒータ加熱装置のマイクロ波の給電口の長手方向と平行に形成されているので、給電口から出てくるマイクロ波が効率よく金属製焼き網の裏側にも回ることができるので、庫内の電波均一化が一層進展することとなる。
【図面の簡単な説明】
【図１】マイクロ波兼ヒータ加熱装置に載置される本発明に係る焼き網の外観斜視図で，（ａ）は焼き網全体の斜視図、（ｂ）は脚部の拡大斜視図である。
【図２】本発明に係る焼き網の脚部の断面図である。
【図３】焼き網の変形例を示すの断面図である。
【図４】本発明に係る焼き網が用いられるマイクロ波兼ヒータ加熱装置の１例で、正面から見た内部断面図である。
【図５】図４のＡ−Ａ線矢視図である。
【図６】図５のＢ−Ｂ断面図である。
【図７】本発明に係る４種の焼き網の網部の平面図を示すもので、それぞれマイクロ波兼ヒータ加熱装置の加熱室に配置された状態を示している。
【図８】本発明に係る焼き網に適さない例を平面図で示すものである。
【図９】本発明に係る焼き網に適するようにした例を平面図で示すものである。
【図１０】従来の焼き網を示すもので、（ａ）は平行形状、（ｂ）は網目形状のものを示している。
【符号の説明】
１０  焼き網
１２  網部
１２１  額縁部
１２２  網構成部
１２ａ  丸孔
１２ｂ  長孔
１４  脚部
１４１  脚部本体
１４２、１４３  ストッパ部
２０、２１、２２、２３、４０、４１  本発明に係る焼き網
３０、３１、３２、３３  本発明に適しない焼き網
５０  マイクロ波加熱装置
５１  開閉扉
５２  発熱体収容凹部
５３  膨出部
５５  加熱室
５５ａ  天井壁
５５ｂ  加熱室右側壁
５６  発熱体
５７  マグネトロン
５７ａ  アンテナ
５８  導波管
５８ａ  上部導波管
５８ｂ  側部導波管
５９  給電口
５９ａ、５９ｂ  給電口
【図１】
2004239501.tif 000003
【図２】
2004239501.tif 000004
【図３】
2004239501.tif 000005
【図４】
2004239501.tif 000006
【図５】
2004239501.tif 000007
【図６】
2004239501.tif 000008
【図７】
2004239501.tif 000009
【図８】
2004239501.tif 000010
【図９】
2004239501.tif 000011
【図１０】
2004239501.tif 000012